(57)【特許請求の範囲】
【請求項１】
釣竿と、水中に浮べ前記釣竿にセットした釣糸の先端に取り付けた釣上具によって釣り上げられる魚等の形象玩具体から成り、この形象玩具体の内部に、電源と、この電源によって駆動される駆動源と、この駆動源によって前記形象玩具体の全部或は一部を揺動或は振動させる作動機構と、前記駆動源の作動スイッチ手段とを設け、この作動スイッチ手段を、手動によって操作させるスイッチレバーを介してＯＮ、ＯＦＦされ低い電圧で前記駆動源を駆動させる第１のスイッチ部と、前記釣糸に取り付けた釣上具によってＯＮされ、高い電圧で前記駆動源を駆動させる第２のスイッチ部とで構成すると共に、前記電源を収納させた電池ケースと、前記駆動源と、前記作動スイッチ手段のスイッチ部を水密状態としたことを特徴とする、釣上げ遊技玩具。
【請求項２】
形象玩具体を魚に模した形態のものとし、前記作動機構によって揺動或は振動させる部分を、尾ビレと口部としたことを特徴とする、請求項１に記載の釣上げ遊技玩具。
【請求項３】
尾ビレと口部の運動系に、該尾ビレや口部を押えた際に駆動源からの駆動力が前記尾ビレや口部に伝達されないようにするクラッチ機構を設けたことを特徴とする、請求項２に記載の釣上げ遊技玩具。
【請求項４】
形象玩具体の目の部分に光源を取り付けたことを特徴とする、請求項１乃至３のいずれか１項に記載の釣上げ遊技玩具。
【請求項５】
形象玩具体を魚を模した形態のものとし、ヒレ部を手動で動かすことができるように構成することにより、当該ヒレ部が同時に舵部となるように成したことを特徴とする、請求項１に記載の釣上げ遊技玩具。
【請求項６】
形象玩具体が魚を模したものであり、前記作動機構によって揺動させる部分が尾ビレと口部の下顎部であることを特徴とする、請求項１に記載の釣上げ遊技玩具。
【発明の詳細な説明】
【０００１】
【発明の属する技術分野】
この発明は、魚や海老、蛙等を模した形象玩具体を釣上げて楽しむ釣上げ遊技玩具に関する。
【０００２】
【従来の技術】
従来、魚を模した形象玩具体の口の部分に係止片やリング、或は永久磁石や磁性片を取り付け、この形象玩具体を床等に置いて釣竿にセットした釣糸の先端に取り付けた係止具、或は磁性片や永久磁石等の釣上具によって引っ掛けたり、磁力吸着させたりして釣上げる釣上げ遊技玩具が公知である。
【０００３】
【発明が解決しようとする課題】
この従来公知の釣上げ遊技玩具は、釣竿を操作して形象玩具体の口部に取り付けた係止片やリング、或は永久磁石や磁性片の部分へ係止具や磁性片或は永久磁石から成る釣上具を近づけて引っ掛け、或は磁力吸着させるまでは楽しむことができるが、床等に置いた形象玩具が動くわけではなく、釣上げた際に形象玩具体が何らかの動作をするわけでもないので、臨場感に欠けるきらいがあった。
【０００４】
この発明の目的は、形象玩具体を水中に浮べ、該形象玩具体が釣糸の先端に取り付けた釣上具にかかった時に、該形象玩具体の全部或は一部が揺動したり或は振動したりして、実際の釣上げ動作の時と同じような臨場感を与えてくれることのできる釣上げ遊技玩具を提供せんとするにある。
【０００５】
この発明の次の目的は、形象玩具体を水中に浮べてゆっくりと移動させ、該形象玩具体が釣糸の先端に取り付けた釣上具にかかった時に該形象玩具体の全部或は一部がより激しく揺動したり振動したりして、より一層臨場感を与え興趣を湧かせてくれることのできる釣上げ遊技玩具を提供せんとするにある。
【０００６】
【課題を解決するための手段】
上述した目的を達成するためにこの発明は、釣竿と、水中に浮べ前記釣竿にセットした釣糸の先端に取り付けた釣上具によって釣り上げられる魚等の形象玩具体から成り、この形象玩具体の内部に、電源と、この電源によって駆動される駆動源と、この駆動源によって前記形象玩具体の全部或は一部を揺動或は振動させる作動機構と、前記駆動源の作動スイッチ手段とを設け、この作動スイッチ手段を、手動によって操作させるスイッチレバーを介してＯＮ、ＯＦＦされ低い電圧で前記駆動源を駆動させる第１のスイッチ部と、前記釣糸に取り付けた釣上具によってＯＮされ、高い電圧で前記駆動源を駆動させる第２のスイッチ部とで構成すると共に、前記電源を収納させた電池ケースと、前記駆動源と、前記作動スイッチ手段のスイッチ部を水密状態としたことを特徴とする。
【０００７】
その際にこの発明は、上記いずれの場合にも形象玩具体を魚に模した形態のものとし、作動機構を介して尾ビレを揺動させる動作と口部を開閉する動作を行えるように構成したり、尾ビレと口部の運動系に、該尾ビレや口部を押えた際に駆動源からの駆動力が前記尾ビレや口部に伝達されないようにするクラッチ機構を設けたりすることができる。
【０００８】
この発明はさらに、形象玩具体の目の部分に光源を取り付けたり、或は形象玩具体を魚を模した形態のものとし、ヒレ部が同時に舵部となるように構成することができる。
【０００９】
【発明の実施の形態】
図面はこの発明の一実施の形態を示し、図１において、１は玩具の釣竿、２はそのリール、３はこのリール２に巻かれて釣竿１にセットされた釣糸である。この釣糸３の先端には永久磁石或は磁性片４ａを取り付けた小魚を模した釣上具４が取り付けられている。５は釣上具４と釣糸３を介して釣竿１によって釣り上げられる魚を模した形象玩具体である。尚、釣糸３はリール２を介さないで直接に釣竿１の先端に取り付けられても良い。また、釣竿やリール、釣糸等は玩具のものに限定されない。手作り、或は一般に市販されているものを用いることができる。そして、釣上具４は全体が磁性片或は永久磁石であっても良く、又は釣上具４の全体或は一部が係止具であっても良い。
【００１０】
形象玩具体５は、とくに図２に示したように、外殻５ａを縦方向に割って接合させた一対のボート状体５ｂ，５ｃとから成る。尾ビレ６は外殻５ａより分離独立しており、図３乃至図５に示したように、その一部を外殻５ａの尾部に設けた挿通孔５ｄより内部へ挿入させ、挿入部分の上下に設けた突起６ａ，６ｂを外殻５ａに設けた軸受孔５ｇ，５ｇと係合させることにより，外殻５ａの尾部に揺動可能に取り付けられている。この形象玩具体も魚に限定されない。それはザリガニ、海老、蛙等さまざまなものの形象玩具体であり得る。
【００１１】
以下、形象玩具体５の内部構造を図２乃至図８に基づいて説明する。図面において、７は形象玩具体５内部に収装された電池ケース、８はこの電池ケース７内へ収納される例えば３本の単三電池８ａ，８ｂ，８ｃから成る電源であり、９は取付ビス９ａ，９ａによって電池ケース７へ取り付けられるケース蓋である。尚、電池８ａ，８ｂ，８ｃは繰り返し充電可能なバッテリーとしても良い。また、電池ケース７とケース蓋９との間は、該ケース蓋９内に設置したパッキング９ｄにより水密状態にシールされるようにし、電池ケース７内部へ水が浸入しないようになっている。電池ケース７は形象玩具体５の外殻５ａの腹部内に収納されてビス９ｂ，９ｂによってボート状体５ｂへ固着され、ケース蓋９は同時に腹部の外殻５ａの一部を形成している。ケース蓋９には同時に腹ビレを構成する舵部９ｃが、とくに図６に示したように摩擦回動可能に取り付けられている。
【００１２】
１０は駆動源としての駆動モータ１６の作動スイッチ手段を構成する第１のスイッチ部であり、固定接点１０ａと回動接点片１０ｂから成り、全体を軟質の合成樹脂製の袋体、好ましくは軟質ゴム製の袋体１１によって、内部へ水が浸入しないように覆われている。尚、この第１のスイッチ部１０の構造は実施の形態のもにに限定されない。リーフスイッチを始めとするさまざまな公知構成のスイッチを用いることができる。１２はもう一つの腹ビレを構成する第１のスイッチ部１０のスイッチ作動片であり、その係止片１２ａをボート状体５ｂ，５ｃの接合部と係合させることによって、形象玩具体５の尾部５ｅ側の腹部に摺動可能に取り付けられ、その係止部１２ｂで回動接点片１０ｂを軟質ゴム袋体１１の一部と一緒に係止させている。尚、１３は第１のスイッチ部１０の基板、１３ａは袋体１１の押え用枠体、１３ｂは取付ビスである。１３ｃは回動接点片１０ｂを基板１３へ取り付ける取付ビス、１３ｄはＥリングである。
【００１３】
１４は駆動源としての駆動モータ１６のもう一の作動スイッチ手段を構成する第２のスイッチ部であり、弾性を有する固定接点片１４ａと、同じく弾性を有する一対の可動接点片１４ｂ，１４ｃから成り、可動接点片１４ｂと１４ｃは常に接触状態にある。そして、この第２のスイッチ部１４も軟質の合成樹脂製袋体、好ましくは軟質ゴム製の袋体１５によって内部へ水が浸入しないように覆われている。尚、１７は第２のスイッチ部１４の基板、１７ａは袋体１５の押え用枠体、１７ｂは取付ビス、１７ｃは各接点片１４ａ、１４ｂ、１４ｃを基板１７へ取り付けるビスである。
【００１４】
駆動源の一例としての駆動モータ１６は、ボート状体５ｂ内に突設した支柱に取付ビス１６ａを介して固定されており、この駆動モータ１６は、水中モータとし、内部に水が浸入しない構造となっている。尚、この駆動モータ１６はこれを振動モータとして、形象玩具体５を振動させるように構成することもできる。
【００１５】
１８ａ，１８ｂは大小の発泡スチロール製のフロート体である。このフロート体１８ａ，１８ｂは形象玩具体５の浮揚力を増大させるものであり、同時に緩衝作用により内部機構を外部からの衝撃より保護する役目を持っている。形象玩具体５は、このフロート体１８ａ，１８ｂによって、どの程度水に浮ぶかが決定される。形象玩具体５の背部は水上に浮び、或は水中に没する場合がある。また、形象玩具体５は横に倒れた状態である場合もあるし、形象玩具体本来の形で水上或は水中にある場合もある。１９は外殻５ａのボート状体５ｂ内に設けられたギア式の第１の減速機構であり、取付ビス１９ａによって取り付けられたギアケース２０内に設置されている。このギア式減速機構１９は、とくに図８に示したように、駆動モータ１６の回転軸に取り付けられた第１ギア２１と、この第１ギア２１と噛合する第２ギア２２と、この第２ギア２２と噛合する第３ギア２３と、この第３ギア２３と噛合する第４ギア２４から成る。この第４ギア２４は、外殻５ａの長手方向に延びる中央回転シャフト２５に回転自在に軸支されており、クラッチ機構２６を介して中央回転シャフト２５へ駆動力を伝達する仕組みとなっている。
【００１６】
このクラッチ機構２６は、同じく図８に詳しく示したように、第４ギア２４の一側面にリング状に配置した第１凹凸部２４ａと、この第１凹凸部２４ａに対向した面に同じく第２凹凸部２７ａを設けて中央回転シャフト２５に固着された伝達円盤２７と、第４ギア２４を伝達円盤２７側へ押圧すべく中央シャフト２５に環巻きさせつつギアケース２０と該第４ギア２４との間に弾設したコンプレッションスプリング２８から構成されている。
【００１７】
中央回転シャフト２５は、ボート状体５ｂ内に設けた支承部材２９に回転自在に支承されており、形象玩具体５の尾部５ｅ側に位置する端部にクランク車３０が取り付けられている。このクランク車３０の外周部近くに取り付けた作動ピン３１は、尾ビレ６が外殻５ａ内へ挿入された部分に突設された揺動片６ｃに設けた長孔６ｄと係合している。
【００１８】
中央回転シャフト２５の他端部には、駆動ギア３２が取り付けられ、この駆動ギア３２は、ボート状体５ｂに取り付けたギアケース３３に設けられたギア式の第２の減速機構３４の減速ギア３５と噛合している。この第２減速機構３４は、形象玩具体５の口部５ｆに揺動可能に軸支させた下顎部３６を揺動させる揺動手段３７を動作させるもので、この揺動手段３７は、減速ギア３５によって回転させられるクランク車３８と、このクランク車３８の外周近くに設けた作動ピン３９と、この作動ピン３９と係合する係合片４０ａを有し下顎部３６より突設した弾性を有する作動片４０とで構成されている。また、弾性を有する係合片４０ａとクランク車３８の作動ピン３９との係合は、両者間に無理な力が加わると、作動片４０が撓んで逃げて、クランク車３８の力は作動片４０へ伝達されないので、これによってクラッチ機構が構成されている。
【００１９】
次に、形象玩具体５の両目の部分には、透孔５ｈ，５ｉが設けられ、この透孔５ｈ，５ｉ内に後述する発光ダイオードを水密状態で収納させた目部４３ａ，４３ｂが嵌入されている。この目部４３ａ，４３ａは、支持部材４２によって外殻５ａ内部に固定されている。
【００２０】
図９は駆動モータ１６の駆動回路の一例を示し、指示記号８ａ，８ｂ，８ｃが電池ケース７内に水密状態で収納されている電源８を構成する電池であり、１０が第１のスイッチ部、１４が第２のスイッチ部である。この第１のスイッチ部１０と第２のスイッチ部１４で作動スイッチ手段を構成している。尚、４１，４１が発光ダイオード、１６が駆動モータである。
【００２１】
そして、４４が第２のスイッチ部１４の可動接点片１４ｂを動作させるスイッチレバーであり、その先端には永久磁石４５が取り付けられ、この永久磁石４５を上顎部４６に設けた透孔４６ａより露出させている。尚、このスイッチレバー４４の先端に取り付けるのは、釣上具４に永久磁石を用いた場合には、磁性片であっても良く、釣上具４の全部或は一部を係止具或はリングとして場合には、係止片或はリングであっても良い。その他、取付ビス４７，４７は、各ボート状体５ｂ，５ｃ同士を固定するためのものであるが、図示したものに限定されない。
【００２２】
さらに、形象玩具体５を揺動或は振動する部分は図示の尾ビレ６に限定されない。それは背ビレ４８，４９や図示してない胸ビレである場合もあるし、形象玩具体全体をくねらせたり、振動させたりするように構成することも可能である。さらに、上記の実施の形態の第２のスイッチ部１４は、スイッチレバー４４を介して可動接点片１４ｂを揺動させる構成としたが、可動接点片１４ｂを直接に形象玩具体５の口部５ｆより露出させ、磁石吸着或は係止手段によって動作させるようにしても良い。
【００２３】
次に、使用方法について説明すると、まず、形状玩具体５をビニールプール、洗濯用タライ、或は浴槽等に水を張って浮べる。すると、該形象玩具体５内部へは水が浸入するが、発泡スチロール製のフロート体１８ａ，１８ｂの助けを借りて形象玩具体５は水中に浮ぶことができる。その際は水が電池ケース７や駆動モータ１６及びスイッチ作動手段の各スイッチ部１０，１４内へ浸入することがない。
【００２４】
こうしておいて、第１のスイッチ部１０をスイッチ作動片１２を摺動させてＯＮさせると、駆動モータ１６は当初図９に示したように、電池８ａ１本だけの低い電圧によって駆動され、尾ビレ６をゆっくりと左右に動かし、下顎部３６を上下させて口部５ｆをパクパクさせつつ水中或は水上を泳ぎ出す。この際に、目部４３ａ，４３ｂの発光ダイオード４１，４１を点灯或は点滅させたりすることは任意である。また、その際に、舵部９ｃを一方向へひねっておくと、これが舵となってそのひねった角度に対応する円を描いて形象玩具体５は水上をゆっくりと回泳することになる。
【００２５】
そこで、釣竿１を片手に持って、もう一方の片手でリール２を操作して釣糸３をたらし、その先端に取り付けた釣上具４を形象玩具体５のぱくぱくさせている口部５ｆに近づけその内部へ導くと、釣上具４の磁性片４ａとスイッチレバー４４の永久磁石４５とが磁石吸着力によってくっつき、その際にスイッチレバー４４が揺動してその作動片４４ａで可動接点片１４ｂを袋体１５を介して押圧するので、可動接点片１４ｂは、もう一方の可動接点片１４ｃと接触した状態で、固定接点片１４ａと接触することになることから、図１０に示したように、駆動モータ１６には電源８の電池８ｂ，８ｃの電圧がさらに加わることになるので、より高速に回転することになる。尚、この際に、目部４３ａ，４３ｂの発光ダイオード４１，４１を点灯、或は点滅させ、或は既に点灯、点滅しているものの輝度をさらに高めるように構成することは任意である。
【００２６】
このことにより、尾ビレ６はより一層激しく揺動することとなり、その振動が釣糸３と釣竿１を介して、遊技者の手許に届き、これを釣り上げることにより、実際に魚を釣り上げたような手許に伝わるブルブルとした感覚と重量感を伴う真に迫った疑似体験を遊技者に与えることができるものである。
【００２７】
釣り上げた形象玩具体５の口部より釣上具４を外すと、つまり、スイッチレバー４４の永久磁石４５と、釣上具４の磁性片４ａの間の磁力吸着を解離させると、スイッチレバー４４は可動接点片１４ｂの弾力により元位置に戻り、駆動モータ１６への電流の供給は一部遮断される。しかし、第１のスイッチ部１０は今だＯＮ状態であり、形象玩具体５の尾ビレ６と下顎部３６は揺動しているが、第１のスイッチ部１０をスイッチ作動片１２を操作することによりＯＦＦさせると、駆動モータ１６は完全に停止する。尚、以上のスイッチを切る順序は逆であっても良い。また、スイッチレバー４４を元位置へ戻すのに可動接点片１４ｂの弾力を利用せず、つる巻きバネ、板バネ等の公知弾性手段を用いてスイッチレバー４４を一方向へ揺動附勢させても良い。
【００２８】
次に、釣り上げて激しく揺動或は振動している形象玩具体５を手に持った際に、その振動によりうっかり落としたり、或は口部で手を挟む恐れがあるが、尾ビレ６は、これを手で持つと、その制動力はクラッチ機構２６へ伝わり、第４ギア２４と伝達円盤２７との間の凹凸嵌合が、コンプレッションスプリング２８の押圧力に抗して外れてクラッチが切れた状態になるので、尾ビレ６は停止し、かつ、無理な力が駆動モータ１６へ加わることがない。
【００２９】
また、口部５ｆにあっても、下顎部３６を押えると、その作動片４０に加えられるクランク車３８の回転力は、該作動片４０の弾力によって逃がされ伝達されないので、クラッチが切れた状態となり手を挟んだり、或は無理な力が駆動モータ１６へ加えられることはない。
【００３０】
尚、以上の説明は、駆動モータ１６へ加えられる電圧を、第１のスイッチ部１０と第２のスイッチ部１４によって２段階に分けることができる例について説明したが、第１のスイッチ部１０を省略して、第２のスイッチ部１４のみとしても良い。この場合には形象玩具体５は釣り上げられるまで、水上に浮んで何らの動作もしないが、釣り上げた瞬間に形象玩具体５は激しく動くので、遊技者に充分な満足を与えることが可能である。
【００３１】
以上の実施の形態では、形象玩具体５を釣り上げるのに磁石吸着を利用したが、形象玩具体５の第２のスイッチ部１４を動作させるスイッチレバー４４や可動接点片１４ｂへ係止片や係止リングを取り付け、釣糸３の先端に取り付けた釣上具４でこの係止片や係止リングを引っ掛けて釣上げ、その際にスイッチレバー４４や可動接点片１４ｂを揺動させて該可動接点片１４ｂが固定接点片１４ａとが接触するように構成しても良いことは説明した。また、磁気センサーによって、駆動モータ１６をＯＮさせるように構成することも可能である。さらに形象玩具体５は魚を模したものに限定されず、蛙や亀、海老等さまざまな動物の形象玩具体とすることができる。また、釣上具４の方へ永久磁石を取り付けた場合は、スイッチレバー４４の永久磁石４５は、永久磁石又は磁性片或は磁気センサーとなり、釣上具４の側を磁性片とした場合には、スイッチレバー４４のものは永久磁石となるものである。つまり、指示記号４と４５は双方を永久磁石とすることができ、一方を永久磁石とし、他方を磁性片とすることができるものである。
【００３２】
【発明の効果】
この発明は以上のように構成したので、次のような効果を奏し得る。
【００３３】
請求項１のように構成すると、形象玩具体を水の上に浮べて、釣竿を用いて釣糸の先端に取り付けられた釣上具を形象玩具体へ近づけ、釣上具で形象玩具体を釣り上げると、該形象玩具体が激しく揺動或は振動することにより、実際の釣りで魚等を釣り上げた時と同じような重量感とブルブル感が手許に伝わるので、実際の釣りと同じような疑似体験を、臨場感と共に遊技者へ与えることができるという効果を奏することができた上で、水に浮べた状態で第１のスイッチ部をＯＮさせると、形象玩具体は水上を泳ぎ出し、より臨場感を盛り上げることができ、釣り上げる際の難易度が高まる上に、釣り上げた際に第２のスイッチ部がＯＮされることになり、より強く形象玩具体を揺動或は振動させることができるので、実際に魚を釣り上げるのと同様な感触を遊技者に与え、興趣を湧かしむることができるという効果を奏し得る。
【００３４】
請求項２のように構成すると、形象玩具体が水中を泳ぎながら口部を開閉させるので、臨場感を高めることができ、これを釣り上げる難易度が増大して、興趣を増すことができるものである。
【００３５】
請求項３のように構成すると、クラッチ機構により揺動する尾ビレや口部を手で押えた際に、尾ビレや口部の動きが停止するので、誤って落としたり、手を挟んだりするのを防止できると共に、駆動モータや駆動力伝達機構に無理な力が加わることがないという効果を奏し得る。
【００３６】
請求項４のように構成すると、形象玩具体の目部が光るので、より興趣を湧かしむる効果がある。
【００３７】
請求項５のように構成すると、水上の浮べた形象玩具体は、舵部によって、任意の円を描いて回転するので、形象玩具体が、ビニールプールや洗濯用タライ、或は浴槽の縁に当って停止して、興趣をそいでしまう心配がないという効果を奏し得る。
【００３８】
請求項６のように構成すると、形象玩具体が実際の魚のように水中を口をぱくぱくさせて泳がせることができるので、さらに臨場感を高め、興趣を湧かしむることができるという効果がある。
【図面の簡単な説明】
【図１】  この発明に係る釣上げ遊技玩具の全体構成を示す説明図である。
【図２】  この発明に係る形象玩具体の分解斜視図である。
【図３】  この発明に係る形象玩具体の内部構造の要部を示す斜視図である。
【図４】  この発明に係る形象玩具体の内部構造の要部を示す正面図である。
【図５】  電池ケース部分の断面図である。
【図６】  第１のスイッチ部の部分の動作説明図である。
【図７】  第２のスイッチ部の部分の動作説明図である。
【図８】  第１の減速機構とクラッチ機構の部分の説明図である。
【図９】  駆動モータの駆動回路図である。
【符号の説明】
１  釣竿
３  釣糸
４  釣上具
５  形象玩具体
５ａ  外殻
５ｅ  尾部
５ｆ  口部
６  尾ビレ
７  電池ケース
８  電源
９  ケース蓋
９ｃ  舵部
９ｄ  パッキング
１０  第１のスイッチ部（作動スイッチ手段）
１０ａ  固定接点
１０ｂ  回動接点片
１１  袋体
１２  スイッチ作動片
１４  第２のスイッチ部（作動スイッチ手段）
１４ａ  固定接点片
１４ｂ，１４ｃ  可動接点片
１５  袋体
１６  駆動モータ
１９  第１の減速機構
２５  中央回転シャフト
２６  クラッチ機構
２７  伝達ギア
２８  コンプレッションスプリング
３０  クランク車
３２  駆動ギア
３４  第２の減速機構
３６  下顎部
３７  揺動手段
３８  クランク車
４０  作動片
４１  発光ダイオード
４３ａ，４３ｂ  目部
４４  スイッチレバー
４５  永久磁石
【図１】
0004215301.tif 000002
【図２】
0004215301.tif 000003
【図３】
0004215301.tif 000004
【図４】
0004215301.tif 000005
【図５】
0004215301.tif 000006
【図６】
0004215301.tif 000007
【図７】
0004215301.tif 000008
【図８】
0004215301.tif 000009
【図９】
0004215301.tif 000010